(57)【要約】【課題】レンズ駆動装置の性能低下を防ぐことが可能なレンズ駆動装置を提供する。【解決手段】レンズを保持するとともに光軸方向に移動可能な移動体１７と、移動体１７を支持する支持体（ホルダー１９等）と、を備え、移動体１７と支持体のどちらか一方には、望遠端側と接写端側で当接して光軸方向における移動体１７の移動を規制する当接部３１ａ〜３１ｄが設けられ、他方には、当接部３１ａ〜３１ｄに当接する被当接部３１ａ'〜３１ｄ'が設けられ、当接部３１ａ〜３１ｄと被当接部３１ａ'〜３１ｄ'とは硬度が異なる。【選択図】図３
2009086158.tif 000002
【特許請求の範囲】
【請求項１】
レンズを保持するとともに光軸方向に移動可能な移動体と、
前記移動体を支持する支持体と、を備え、
前記移動体と前記支持体のどちらか一方には、望遠端側と接写端側で当接して光軸方向における前記移動体の移動を規制する当接部が設けられ、他方には、前記当接部に当接する被当接部が設けられ、
前記当接部と前記被当接部とは硬度が異なることを特徴とするレンズ駆動装置。
【請求項２】
前記当接部と前記被当接部のどちらか一方には、金属でめっきが施されていることを特徴とする請求項１記載のレンズ駆動装置。
【請求項３】
前記移動体には、前記移動体の回動を規制するために径方向に突出した拡張部が形成されており、
前記当接部と前記被当接部のどちらか一方は、前記拡張部に設けられていることを特徴とする請求項１又は２記載のレンズ駆動装置。
【請求項４】
前記移動体と前記支持体のどちらか一方には、前記当接部及び前記被当接部とは光軸方向において高さの異なる位置決め部が設けられていることを特徴とする請求項１から３のいずれか記載のレンズ駆動装置。
【請求項５】
前記めっきは、前記当接部又は前記被当接部の縁部分に施されていることを特徴とする請求項２から４のいずれか記載のレンズ駆動装置。
【発明の詳細な説明】
【技術分野】
【０００１】
本発明は、レンズを光軸方向に変位駆動して被写体の像を結像させるレンズ駆動装置に関する。
【背景技術】
【０００２】
近年、カメラが搭載されたカメラ付き携帯電話機が普及するにつれ、その携帯電話機を用いて様々な被写体を撮影する機会が増えている。例えば、友人や風景など、カメラのレンズからある程度離れた被写体を撮影（通常撮影）したり、バスの時刻表や花びらなど、カメラのレンズと近接した位置にある被写体を撮影（接写撮影）したりする場合がある。
【０００３】
接写撮影（マクロ撮影）の場合、カメラのレンズ位置は、通常撮影時のレンズ位置よりも、僅かに被写体側に近づいた位置にする必要がある。そのため、この種の撮影レンズ系では、レンズを光軸方向に変位駆動する磁気駆動機構を備えており、スイッチの切り替えによってこの磁気駆動機構を駆動し、レンズを光軸方向に移動させることができるようになっている。
【０００４】
例えば、レンズを備えた移動体と、光軸方向において離間する２箇所に配置された２枚の板バネを介して、移動体を光軸方向に移動可能に支持する固定体と、コイルとマグネットにより、移動体を光軸方向に駆動する磁気駆動機構と、を有するレンズ駆動装置が提案されている。また、コイルから引き出された２本のコイル端部を、各々２枚の板バネに接続し、２枚の板バネを介してコイルに給電する構造のレンズ駆動装置が提案されている（特許文献１，２参照）。なお、製造工程容易化の観点から、いずれのレンズ駆動装置も、移動体と固定体には同一又は類似の樹脂部材が用いられている。
【０００５】
【特許文献１】特開２００５−１２８３９２号公報
【特許文献２】特開２００６−２０１５２５号公報
【発明の開示】
【発明が解決しようとする課題】
【０００６】
しかしながら、レンズ駆動装置に外部からの衝撃や振動が加わった際（例えばレンズ駆動装置を搭載した携帯電話機を落とした際）、樹脂材料である移動体と樹脂材料である固定体とが接触することによって、樹脂材料の表面から磨耗粉等が発生する可能性がある。発生した磨耗粉等がＩＲカットフィルタ上に落ちてしまうと、画像が不鮮明になり、レンズ駆動装置の性能低下に繋がってしまう。
【０００７】
本発明は、以上の点に鑑みてなされたものであり、その目的は、画像が不鮮明になる等の性能低下を防ぐことが可能なレンズ駆動装置を提供することにある。
【課題を解決するための手段】
【０００８】
以上のような課題を解決するために、本発明は、以下のものを提供する。
【０００９】
（１）  レンズを保持するとともに光軸方向に移動可能な移動体と、前記移動体を支持する支持体と、を備え、前記移動体と前記支持体のどちらか一方には、望遠端側と接写端側で当接して光軸方向における前記移動体の移動を規制する当接部が設けられ、他方には、前記当接部に当接する被当接部が設けられ、前記当接部と前記被当接部とは硬度が異なることを特徴とするレンズ駆動装置。
【００１０】
本発明によれば、移動体と支持体のどちらか一方には、望遠端側と接写端側で当接して光軸方向における移動体の距離を規制する当接部が設けられ、他方には、当接部に当接する被当接部が設けられ、これら当接部と被当接部とは硬度が異なることとしたので、移動体と支持体が同じ又は類似の材料であっても、実際に接触する当接部又は被当接部から磨耗粉等が脱落するのを防ぐことができる。
【００１１】
したがって、磨耗粉等の脱落に起因する画像の不鮮明化を防ぐことができ、ひいてはレンズ駆動装置の性能低下を防ぐことができる。なお、材料からなる移動体と支持体とが接触して生じる磨耗粉等と、本発明のように硬度の異なる当接部と被当接部が接触して生じる磨耗粉等とでは、磨耗粉等の大きさや量が異なる。すなわち、後者の方が、磨耗粉等の大きさは小さく、また、磨耗粉等の量も少ない。この点において、たとえ磨耗粉等の脱落をゼロにすることができない場合であっても、従来のレンズ駆動装置と比べて性能低下を防ぐことができる。
【００１２】
（２）  前記当接部と前記被当接部のどちらか一方には、金属でめっきが施されていることを特徴とするレンズ駆動装置。
【００１３】
本発明によれば、上述した当接部と被当接部のどちらか一方には、金属でめっきが施されていることとしたので、このめっきにより、当接部と被当接部の硬度を異ならせることができる。したがって、簡易な作業工程によって、当接部と被当接部の硬度を異ならせることができ、ひいては作業性を向上させつつレンズ駆動装置の性能低下を防ぐことができる。
【００１４】
（３）  前記移動体には、前記移動体の回動を規制するために径方向に突出した拡張部が形成されており、前記当接部と前記被当接部のどちらか一方は、前記拡張部に設けられていることを特徴とするレンズ駆動装置。
【００１５】
本発明によれば、上述した移動体には、移動体の回動を規制するために径方向に突出した拡張部が形成されている。そして、当接部と被当接部のどちらか一方は、拡張部に設けられていることとしたので、この拡張部に、移動体の（光軸方向における）移動を規制する機能と移動体の回動を規制する機能の両機能をもたせるとともに、レンズ駆動装置の性能低下を防ぐことができる。
【００１６】
（４）  前記移動体と前記支持体のどちらか一方には、前記当接部及び前記被当接部とは光軸方向において高さの異なる位置決め部が設けられていることを特徴とするレンズ駆動装置。
【００１７】
本発明によれば、上述した移動体と支持体のどちらか一方には、当接部及び被当接部とは光軸方向において高さの異なる位置決め部が設けられていることとしたので、移動体の光軸方向が正常な状態からずれること（移動体の光軸が傾くこと）を防ぐことができ、レンズ駆動装置の性能が低下するのを防ぐことができる。
【００１８】
すなわち、例えば当接部及び被当接部よりも位置決め部の方が、光軸方向において高さが低い（平面からの突出量が小さい）場合には、当接部及び被当接部によって移動体の光軸方向における移動が規制された後、位置決め部によって移動体の光軸が傾くのを防ぐことができる。その結果、レンズ駆動装置の性能が低下するのを防ぐことができる。
【００１９】
（５）  前記めっきは、前記当接部又は前記被当接部の縁部分に施されていることを特徴とするレンズ駆動装置。
【００２０】
本発明によれば、上述しためっきは、前記当接部又は前記被当接部の縁部分に施されているので、最も磨耗粉等の出やすい部分の硬度を異ならせることで、磨耗粉等の発生を効率的に抑えることができる。なお、本発明は、少なくとも縁部分にめっきを施せばよく、その他の部分については施しても施さなくてもよい。
【発明の効果】
【００２１】
本発明に係るレンズ駆動装置によれば、磨耗粉等の脱落に起因した画像の不鮮明化を防ぐことができ、ひいては画質等の性能低下を防ぐことができる。特に、当接部と被当接部の接触により磨耗粉等が発生したとしても、その磨耗粉等の量は従来に比べて少ないので、レンズ駆動装置の性能低下防止に寄与することができる。
【発明を実施するための最良の形態】
【００２２】
以下、本発明を実施するための最良の形態について、図面を参照しながら説明する。
【００２３】
［機械構成］
図１は、本発明の実施の形態に係るレンズ駆動装置１の外観構成を示す斜視図である。図２は、本発明の実施の形態に係るレンズ駆動装置１の機械構成を示す分解斜視図である。
【００２４】
図１及び図２において、レンズ駆動装置１は、キャップ１１と、板状カバー１２と、ヨーク１３と、マグネット１４と、第一の板バネ１５と、磁気部材としてのワイヤースプリング１６と、移動体１７と、第二の板バネ１８と、ホルダー１９と、ターミナル２０と、を有している。なお、説明の便宜上、一又は複数枚のレンズを備え、移動体１７の内部に保持される円筒状のレンズホルダは、図示を省略している。また、レンズ駆動装置１は、移動体１７を、光軸Ｌ方向に沿って被写体（撮像対象）に近づくＡ方向（前側、接写端側）、および、被写体とは反対側（像側、望遠端側）に近づくＢ方向（後側）の双方向に移動させるものである。
【００２５】
なお、キャップ１１と、板状カバー１２と、ヨーク１３と、ホルダー１９とは、第一の板バネ１５及び第二の板バネ１８を介して、移動体１７を光軸方向に移動可能に支持する「支持体」の一例として機能する。また、本実施形態では、支持体の外周形状は、略長方形となっている。
【００２６】
キャップ１１は、板状カバー１２の被写体側を覆うものであって、キャップ１１及び板状カバー１２の中央には、被写体からの反射光をレンズに取り込むための円形の入射窓１１０，１２０が各々形成されている。ヨーク１３は、板状カバー１２とホルダー１９との間に挟持されることになり、例えば鋼板などの強磁性板から構成され、角筒状を呈している。また、ヨーク１３は、レンズ駆動装置１の側面で露出し、その側面部を構成しており、移動体の側面を覆うケース体としての機能を有している。ホルダー１９は、像側で撮像素子（図示せず）を保持するものである。
【００２７】
移動体１７は、スリーブ１７０と、第一のコイル１７１と、第二のコイル１７２と、を有している。第一のコイル１７１及び第二のコイル１７２は、スリーブ１７０の外周面に光軸Ｌ方向に２段に配置され、移動体１７の形状は円筒状となっている。なお、移動体１７は、支持体を構成するヨーク１３の内周に収納されており、それぞれ形状の違いから、ヨーク１３の内周面の４箇所の角部分には、スペースが形成されている。そこで、マグネット１４は、第一のコイル１７１及び第二のコイル１７２に対して外周側で対向し、ヨーク１３の内周面のうち４箇所の角部分に固定される。
【００２８】
マグネット１４は、８個のマグネット片からなり、いずれのマグネット片においても内面と外面とが異なる極に着磁されている。また、前側、後側それぞれ４個のマグネットでは、例えば、前側（Ａ方向）のマグネットでは内面がＮ極に着磁され、外面がＳ極に着磁され、後側（Ｂ方向）のマグネットでは、内面がＳ極に着磁され、外面がＮ極に着磁されている。さらに、前側のマグネットは、第一のコイル１７１に対向するように配置され、後側のマグネットは、第二のコイル１７２に対向するように配置されている。
【００２９】
第一の板バネ１５及び第二の板バネ１８は、支持体と移動体１７との間に取付けられ、移動体１７の光軸方向への移動に対して付勢するように作用している。第一の板バネ１５は、移動体１７のＡ方向の面に円弧状した取付け部が固定され、その支持体側の固定部（端部）が板状カバー１２に固定されることによって保持されている。さらに、第一の板バネ１５は、これら２つの取付け部を連結するバネ性を有するアーム部が形成されている。また、詳細は後述するが、第二の板バネ１８は、移動体１７のＢ方向の面に円弧状した固定部が固定され、その支持体側の取付け部（端部）がホルダー１９に固定されることによって保持されている。さらに、第一の板バネ１５は、これら２つの取付け部を連結するバネ性を有するアーム部が形成されている。なお、本実施形態では、第一の板バネ１５及び第二の板バネ１８は、双方とも金属製の薄板から形成されており、光軸Ｌ方向における厚さを同じにしている。これにより、生産性を高めることができる。
【００３０】
ヨーク１３は、第一のコイル１７１及び第二のコイル１７２が配置されている領域の光軸Ｌ方向の寸法、および、マグネット１４の光軸Ｌ方向の寸法よりも大きくなっているため、マグネット１４と第一のコイル１７１との間に構成される磁路、及び、マグネット１４と第二のコイル１７２との間に構成される磁路からの漏れ磁束を少なくすることができる。その結果、スリーブ１７０の移動量と、第一のコイル１７１及び第二のコイル１７２に流す電流との間のリニアリティの向上に寄与できる。
【００３１】
円環状のワイヤースプリング１６は、スリーブ１７０に保持されている。ワイヤースプリング１６は、マグネット１４との間に作用する磁気吸引力により、移動体１７に対して光軸Ｌ方向の付勢力を印加する。このため、移動体１７が、第一のコイル１７１、第二のコイル１７２への非通電時に自重で変位することを防止することができ、ひいては移動体１７に所望の姿勢を維持させることができる。なお、このワイヤースプリング１６は、移動体１７のうち被写体側（前側）の端面に配置されるとともに、移動体１７と第一の板バネ１５との間に介在するように配置されている。
【００３２】
ヨーク１３は、外周形状が略長方形であって、対向する一対の側面部１３１は平面状に形成され、他方の対向する一対の側面部１３２には、両端部１３３が内側に凹んでいる分、中央には外側に段差状に突出する凸部１３４が形成されている。従って、光軸Ｌ方向からみたとき、ヨーク１３において、側面部１３１と、側面部１３２の両端部１３３で囲まれた長方形の領域が、第一の板バネ１５や第二の板バネ１８を配置できるスペースとなっている。
【００３３】
板状カバー１２は、ヨーク１３の被写体側に被さって、中央には入射窓１２０が形成された板部１２１を有している。板部１２１の四隅には、被写体側に延びる凸部１２２及び撮像素子側に延びる凸部１２３が形成され、板部１２１の一対の対向する辺部には、板部１２１の上面で、キャップ１１の係合部の周方向を保持する保持部１２４が形成されている。また、ホルダー１９には、その四隅に、被写体側に延びる凸部１９２が形成され、側面から被写体側に向かって柱状部材１９１が延びている。なお、ホルダー１９の凸部１９２には、第二の板バネ１８の固定部が固定されている。同様に、板状カバー１２の凸部１２３には、第一の板バネ１５の固定部が固定されている。
【００３４】
キャップ１１は、非磁性の薄板（例えばＳＵＳ３０４）によって構成されており、板状カバー１２の被写体側に被さって、中央には入射窓１１０が形成されている天板部１１１を有している。天板部１１１は、略長方形状をしているが、四隅及び対向する一辺の中央付近には、それぞれ矩形上の切り欠き１１２，１１３が形成されている。天板部１１１の一対の対向辺部分では、切り欠き１１３を挟む両端付近から、一対の係合脚部１１４が各々下方に延びている。係合脚部１１４には、その中央領域付近に貫通穴１１５が形成されている。
【００３５】
以上のような構成により、ホルダー１９，第一の板バネ１５，第二の板バネ１８及び板状カバー１２を重ねた状態で、キャップ１１を重ね合わせる際、板状カバー１２の保持部１２４にキャップ１１の切り欠き１１３を嵌め込むことによって、板状カバー１２の上面にキャップ１１が配置される。その際、天板部１１１の四隅に形成された切り欠き１１２内には、板状カバー１２の四隅に形成された凸部１２２が配置される。また、係合脚部１１４は、ヨーク１３の側面部１３３に当接し、かつ、凸部１３４を挟み込むように配置される。このように配置された係合脚部１１４において、例えば、貫通穴１１５より接着剤を塗布することで、側面部１３２と係合脚部１１４とを固定する。そして、レーザ溶接によって、側面部１３２と係合脚部１１４と接合することによって、キャップ１１をヨーク１３に固定することができる。
【００３６】
ここで、本実施形態に係るレンズ駆動装置１のホルダー１９には、接写端側で当接して光軸方向における移動体１７の移動を規制する当接部３１ａ〜３１ｄが設けられ、移動体１７には、当接部３１ａ〜３１ｄに当接する被当接部３１ａ'〜３１ｄ'（図３，図４参照）が設けられている。以下、これら当接部３１ａ〜３１ｄと被当接部３１ａ'〜３１ｄ'について、図３〜図５を用いて詳述する。
【００３７】
［当接部と被当接部］
図３は、ホルダー１９に着目したときの外観図であって、図３（ａ）は、第二の板バネ１８が取り付けられているときのホルダー１９を示し、図３（ｂ）は、第二の板バネ１８が取り付けられていないときのホルダー１９を示している。なお、図３は、ホルダー１９を被写体側（前側から後側に向けて）から見ている。
【００３８】
図３（ａ）において、第二の板バネ１８は、電気的に分離された２枚のバネ片１８ａ，１８ｂからなっている。バネ片１８ａ（１８ｂ）は、ホルダー１９に保持（固定）される２つの固定部１８５ａ，１８５ｂ（１８６ａ，１８６ｂ）と、スリーブ１７０の後端部に取付けられる円弧状した取付け部１８７ａ（１８７ｂ）と、固定部１８５ａ，１８５ｂ（１８６ａ，１８６ｂ）と取付け部１８７ａ（１８７ｂ）とを連結する２本のアーム部１８８ａ，１８８ｂ（１８９ａ，１８９ｂ）とを備えている。さらに、バネ片１８ａ，１８ｂの４つの固定部１８５ａ，１８５ｂ（１８６ａ，１８６ｂ）がホルダー１９に保持され、アーム部１８８ａ，１８８ｂ（１８９ａ，１８９ｂ）は、移動体１７の光軸Ｌ方向への移動に合せて変位可能にホルダー１９の面に載置されている。
【００３９】
さらに、バネ片１８ａ，１８ｂの各々には、端子１８１，１８２が形成されている。また、端子１８１，１８２は、それぞれターミナル２０１，２０２（図２参照）と接触する。したがって、バネ片１８ａ，１８ｂのコイル巻き部１８３，１８４には、コイル（第一のコイル１７１，第二のコイル１７２）のコイルの巻き始め端部及び巻き終わり端部を電気的に接続すれば、端子１８１，１８２を介して給電を行うことができる。すなわち、本実施の形態では、前側に配置された４個のマグネット１４の内面がＮ極に、後側に配置された４個のマグネット１４の内面がＳ極に着磁されているので、スリーブ１７０に巻回された第1のコイル１７１と第２のコイル１７２の巻回方向は互いに逆方向となっている。これにより、コイル（第一のコイル１７１及び第二のコイル１７２）に電流を供給した際、発生する力（推力）は同じ方向となるようにしている。
【００４０】
具体的には、スリーブ１７０の外周面には、第二のコイル１７２が所定の巻回数巻かれ、所定の間隔を置いて、第一のコイル１７１が、第二のコイル１７２の巻回方向とは逆方向に所定の巻回数巻かれる。その後、第二の板バネ１８がスリーブ１７０の端部に載置され固定され、バネ片１８ａのコイル巻部１８３には、第二のコイル１７２のコイル巻き始め端部が巻かれて半田付けされる。つぎに、バネ片１８ｂのコイル巻部１８４には、第一のコイル１７１の巻き終り端部が巻かれて半田付けされる。
【００４１】
次に、図３（ａ）及び図３（ｂ）において、ホルダー１９には、上述したコイル巻き部１８３を挟み込むようにして、被写体側に延びる突起部１９３ａ及び突起部１９３ｂが形成されている。また、上述したコイル巻き部１８４を挟み込むようにして、被写体側に延びる突起部１９３ｃ及び突起部１９３ｄが形成されている。すなわち、突起部１９３ａ、１９３ｂと突起部１９３ｃ、１９３ｄとは、光軸Ｌに対して対称となる位置に配置されている。特に、図３（ａ）及び図３（ｂ）中の斜線で示すように、突起部１９３ａ〜１９３ｄの前端面には、金属のめっきが施されている。なお、コイル巻き部１８３，１８４の近傍には、コイルを巻くための逃げ部として溝部１９４が形成されている。
【００４２】
また、ホルダー１９には、スリーブ１７０の後端側の円柱状突起１７３（後述する図４参照）が入る凹部１９５ａ〜１９５ｆが形成されており（図３（ｂ））、凹部１９５ｂと凹部１９５ｃの間には傾き防止部１９６ａが、凹部１９５ｄと凹部１９５ｅの間には傾き防止部１９６ｂが、それぞれ形成されている。
【００４３】
傾き防止部１９６ａは、上述した突起部１９３ａ〜１９３ｄよりも光軸Ｌの方向において高さ（突出量）が低くなっており、傾き防止部１９６ｂも同様に、上述した突起部１９３ａ〜１９３ｄよりも光軸Ｌの方向において高さ（突出量）が低くなっている。特に、図３（ａ）及び図３（ｂ）中の斜線で示すように、傾き防止部１９６ａ及び傾き防止部１９６ｂの前端面には、金属めっきが施されている。また、突起部１９３ａ〜１９３ｄに対して略直交する方向に傾き防止部１９６ａ、および１９６ｂが形成されている。
【００４４】
一方、図４は、スリーブ１７０に着目したときの外観図であって、図４（ａ）は、第二の板バネ１８が取り付けられているときのスリーブ１７０を示し、図４（ｂ）は、第二の板バネ１８が取り付けられていないときのスリーブ１７０を示している。
【００４５】
図４（ａ）及び図４（ｂ）において、スリーブ１７０の後端には、上述した円柱状突起１７３が６個形成されている。これらの円柱状突起１７３により、第二の板バネ１８がスリーブ１７０に取り付けられる。
【００４６】
また、スリーブ１７０には、その回動を規制するために径方向に突出した拡張部１７４ａ〜１７４ｄが形成されている。これら拡張部１７４ａ〜１７４ｄの後端面は、前述した突起部１９３ａ〜１９３ｄの前端面と当接する。このとき、上述したように突起部１９３ａ〜１９３ｄの前端面には金属めっきが施されているため、硬さの違いにより接触しても磨耗粉等が生じにくいようになっている。すなわち、突起部１９３ａ〜１９３ｄの前端面に金属めっきを施すことにより、その硬さが拡張部１７４ａ〜１７４ｄの後端面の硬さよりも硬くなっている。
【００４７】
このように、本実施形態に係るレンズ駆動装置１において、ホルダー１９に形成された突起部１９３ａ〜１９３ｄの前端面は、当接部３１ａ〜３１ｄとして機能するとともに、スリーブ１７０に形成された拡張部１７４ａ〜１７４ｄの後端面は、当接部３１ａ〜３１ｄに当接する被当接部３１ａ'〜３１ｄ'として機能する。
【００４８】
また、図４（ａ）において、スリーブ１７０の後端面には、バネ片１８ａとバネ片１８ｂの間に、小判状をして突起した小判状突起１７５ａ，１７５ｂが形成されている。これら小判状突起１７５ａ，１７５ｂは、スリーブ１７０の光軸Ｌが傾いた場合に、上述した傾き防止部１９６ａ，１９６ｂの前端面と当接する。
【００４９】
したがって、当接部３１ａ〜３１ｄと光軸Ｌの方向において高さの異なる傾き防止部１９６ａ，１９６ｂの前端面は、位置決め部３１ｅ，３１ｆとして機能するとともに、小判状突起１７５ａ，１７５ｂの後端面は、被位置決め部３１ｅ'，３１ｆ'として機能する。
【００５０】
加えて、上述したように、本実施形態では傾き防止部１９６ａ，１９６ｂの前端面にも金属めっきが施されている（図３参照）。したがって、位置決め部３１ｅ，３１ｆや被位置決め部３１ｅ'，３１ｆ'からも硬さの違いにより磨耗粉等が発生しにくい構造となっている。本実施の形態では、金属メッキを施した傾き防止部１９６ａ，１９６ｂの前端面が、小判状突起１７５ａ，１７５ｂの後端面よりも硬くなっている。
【００５１】
なお、ホルダー１９の当接部３１ａ〜３１ｄ及び位置決め部３１ｅ，３１ｆに施された金属めっきは、非磁性材料を使うことが好ましく、例えば無電解ニッケルめっきを使うことができる。
【００５２】
［基本動作］
本実施形態に係るレンズ駆動装置１において、移動体１７は、通常（第一のコイル１７１及び第二のコイル１７２の非通電時）は、撮像素子側（像側）に位置する。具体的には、スリーブ１７０の下端面（像側面）がホルダー１９の上面（前側面）に当接した状態である。
【００５３】
なお、ワイヤースプリング１６は、マグネット１４との間に作用する磁気吸引力によって、移動体１７の変位を規制している。ただし、ワイヤースプリング１６とマグネット１４との距離はある程度保たれているため、ワイヤースプリング１６とマグネット１４との磁気吸引力が強くなり過ぎることはない。これにより、移動体１７の中心軸がずれるのを防ぎ、ひいてはチルト特性の悪化を防ぐことができる。
【００５４】
このような状態において、第一のコイル１７１及び第二のコイル１７２に所定方向の電流を流すと、第一のコイル１７１及び第二のコイル１７２は、それぞれ上向き（前側）の電磁力を受けることになる。これにより、第一のコイル１７１及び第二のコイル１７２が固着されたスリーブ１７０は、被写体側（前側）に移動し始める。このとき、第一の板バネ１５とスリーブ１７０の後端との間、及び第二の板バネ１８とスリーブ１７０の前端との間には、それぞれスリーブ１７０の移動を規制する弾性力が発生する。このため、スリーブ１７０を前側に移動させようとする電磁力に対し、スリーブ１７０の移動を規制する弾性力と、ワイヤースプリング１６とマグネット１４の磁気吸引力の和とが釣り合ったとき、スリーブ１７０は停止する。
【００５５】
つぎに、第一のコイル１７１及び第二のコイル１７２に逆方向の電流を流すと、第一のコイル１７１及び第二のコイル１７２は、それぞれ下向き（後側）の電磁力を受けることになる。これにより、スリーブ１７０は、撮像素子側（後側）に移動し始める。このとき、第一の板バネ１５とスリーブ１７０の後端との間、及び第二の板バネ１８とスリーブ１７０の前端との間には、それぞれスリーブ１７０の移動を規制する弾性力が発生する。そして、スリーブ１７０の拡張部１７４ａ〜１７４ｄの後端面、すなわち、被当接部３１ａ'〜３１ｄ'は、ホルダー１９の当接部３１ａ〜３１ｄ（突起部１９３ａ〜１９３ｄの前端面）に当接する。当接後、第一のコイル１７１及び第二のコイル１７２への電流の供給が切られ、レンズ駆動装置１は通常の状態となる。
【００５６】
このように、スリーブ１７０を撮像素子側に移動した際、非当接部３１ａ'〜３１ｄ'は、ホルダー１９の当接部３１ａ〜３１ｄ（突起部１９３ａ〜１９３ｄの前端面）に当接した際、当接面の硬さが異なるので、磨耗紛等の発生も従来に比べて少なくなっている。
【００５７】
移動体としてのスリーブ１７０が移動する際、第一のコイル１７１及び第二のコイル１７２に流す電流量と、第一の板バネ１５及び第二の板バネ１８によってスリーブ１７０に働く弾性力を調整することで、スリーブ１７０（移動体１７）を所望の位置に停止させることができる。
【００５８】
なお、移動体１７に保持させたワイヤースプリング１６とマグネット１４との付勢力も利用することで、移動体１７に光軸方向の推進力を発生させる磁気駆動機構の小型化を図ることができる。また、電磁力と弾性力との釣り合いを利用してスリーブ１７０を停止させることで、衝突音の発生を防ぐことができる。
【００５９】
［実施形態等の効果］
以上説明したように、本実施形態に係るレンズ駆動装置１によれば、図３及び図４を用いて説明したように、スリーブ１７０の拡張部１７４ａ〜１７４ｄの前端面に形成される当接部３１ａ〜３１ｄに、金属でめっきが施されているので、当接部３１ａ〜３１ｄと、それらが当接する被当接部３１ａ'〜３１ｄ'との間で硬度が異なることになる。したがって、たとえスリーブ１７０とホルダー１９が同一又は類似する材料からなる場合であっても、硬度の異なる当接部３１ａ〜３１ｄと被当接部３１ａ'〜３１ｄ'とが接触するため、磨耗粉等が生じにくくなり（仮に磨耗粉等が生じても小さく少量となり）、ひいては画像が不鮮明になる等の性能低下を防ぐとともに、レンズ駆動装置としての信頼性を向上させることができる。
【００６０】
特に、本実施形態では、拡張部１７４ａ〜１７４ｄに、スリーブ１７０の回動を規制する機能と当接部３１ａ〜３１ｄとしての機能をもたせている。
【００６１】
また、当接部３１ａ〜３１ｄと被当接部３１ａ'〜３１ｄ'の硬度を異ならせるにあたって金属めっきを用いることで、作業性を向上させることができる。
【００６２】
また、位置決め部３１ｅ，３１ｆは、当接部３１ａ〜３１ｄと、光軸Ｌの方向において高さが異なっている。そのため、スリーブ１７０の光軸Ｌの方向が正常な状態からずれようとすると、スリーブ１７０の後端側に形成された被位置決め部３１ｅ'，３１ｆ'が位置決め部３１ｅ，３１ｆに当接し、それ以上ずれるのを防ぐことができる。特に、本実施形態では、位置決め部３１ｅ，３１ｆにも金属めっきが施されているため、位置決め部３１ｅ，３１ｆと被位置決め部３１ｅ'，３１ｆ'が当接した際の磨耗粉等の発生を抑えることができる。
【００６３】
また、金属めっきは、当接部３１ａ〜３１ｄや位置決め部３１ｅ，３１ｆの縁部分（突起部１９３ａ〜１９３ｄの角部分や傾き防止部１９６ａ，１９６ｂの角部分）に施すことによって、磨耗粉等の発生を効率的に抑えることができる。例えば、これらの縁部分にのみ金属めっきを施すこととしてもよい。また、金属めっきの材質や厚さによっては、緩衝効果を期待することもできる。
【００６４】
［変形例］
上述した実施形態では、位置決め部３１ｅ，３１ｆにも金属めっきすることとしたが、当接部３１ａ〜３１ｄのみに金属めっきしてもよい。また、当接部３１ａ〜３１ｄの全てでなくても、一部のみに金属めっきしてもよい。
【００６５】
また、上述した実施形態では、当接部３１ａ〜３１ｄと位置決め部３１ｅ，３１ｆを金属めっきし、被当接部３１ａ'〜３１ｄ'と被位置決め部３１ｅ'，３１ｆ'は金属めっきしないこととしたが、双方とも金属めっきしてもよいし（ただし、この場合には金属めっきの材質や厚さを変えるなどして硬度を異ならせることが必要である）、逆にしてもよい。
【００６６】
図５は、被当接部３１ａ'〜３１ｄ'と被位置決め部３１ｅ'，３１ｆ'側に金属めっきした場合の様子を示す図である。また、金属めっき以外の方法で、当接部３１ａ〜３１ｄと被当接部３１ａ'〜３１ｄ'（或いは位置決め部３１ｅ，３１ｆと被位置決め部３１ｅ'，３１ｆ'）の硬度を異ならせてもよい。
【００６７】
例えば、樹脂材料で形成した移動体１７と樹脂材料で形成したホルダー１９のどちらかに、金属部材をインサート成形し、その金属部材と相手部品の樹脂が接触するような構造としてもよい。また、移動体１７とホルダー１９のどちらか、或いは両方に金属部材を取り付け、その金属部材と相手部品の樹脂が接触するような構造としてもよい。さらに、これらの構造をもつレンズ駆動装置で、金属部材に金属めっきを施すようにしてもよい。さらに、ホルダー１９または移動体１７を樹脂材料ではなく、金属材料で構成してもよい。
【００６８】
また、移動体１７と支持体が接触する箇所のどちらかに、例えば無機系の材料からなる樹脂コーティングを施すようにしてもよい。これにより、耐摩耗性を高めることができる。
【００６９】
さらに、本実施の形態では、移動体１７とホルダー１９で説明したが、移動体１７と板状カバー１２とでも同様に当接部、被当接部を構成してもよい。
【００７０】
なお、レンズ駆動装置１は、カメラ付き携帯電話機の他にも、様々な電子機器に取り付けることが可能である。例えば、ＰＨＳ，ＰＤＡ，バーコードリーダ，薄型のデジタルカメラ，監視カメラ，車の背後確認用カメラ，光学的認証機能を有するドア等である。
【産業上の利用可能性】
【００７１】
本発明に係るレンズ駆動装置は、移動体や支持体から磨耗粉等が脱落して画質性能が低下するのを防ぎ、ひいては装置の信頼性を高めることが可能なものとして有用である。
【図面の簡単な説明】
【００７２】
【図１】本発明の実施の形態に係るレンズ駆動装置の外観構成を示す斜視図である。
【図２】本発明の実施の形態に係るレンズ駆動装置の機械構成を示す分解斜視図である。
【図３】ホルダーに着目したときの外観図である。
【図４】スリーブに着目したときの外観図である。
【図５】被当接部と被位置決め部側に金属めっきした場合の様子を示す図である。
【符号の説明】
【００７３】
１  レンズ駆動装置
１１  キャップ
１２  板状カバー
１３  ヨーク
１４  マグネット
１５  第一の板バネ
１６  ワイヤースプリング
１７  移動体
１８  第二の板バネ
１９  ホルダー
２０  ターミナル
３１ａ〜３１ｄ  当接部
３１ｅ，３１ｆ  位置決め部
３１ａ'〜３１ｄ'  被当接部
３１ｅ'，３１ｆ'  被位置決め部
【図１】
2009086158.tif 000003
【図２】
2009086158.tif 000004
【図３】
2009086158.tif 000005
【図４】
2009086158.tif 000006
【図５】
2009086158.tif 000007